(57)【特許請求の範囲】
【請求項１】
皿状の収容体と、
夫々の一面に光源が実装されており、前記収容体の底壁の内面に並置された複数枚の光源基板と、
前記一面及び前記収容体の内面を覆い、光を反射する反射シートと、
電源部と
を備える照明装置において、
前記一面に設けられたコネクタと、
フレキシブルプリント基板を用いてなり、前記収容体の周壁及び前記反射シートの間に配されており、前記電源部から前記光源基板へ給電するための給電部材と、
該給電部材に設けられており、前記コネクタと電気的に接続される光源接続部と
を備え、
前記周壁は、前記底壁から前記収容体の開口側へ拡がるような傾斜状をなし、
前記給電部材は、前記周壁の内面に配されている帯状の本体部と、該本体部から前記光源基板に向けて突出しており、前記光源接続部が設けられている腕状片とを有し、前記コネクタと前記光源接続部とが接続される接続部分及び該接続部分の周辺部分が前記反射シートに覆われておらず、
前記給電部材の前記反射シートに覆われていない部分に、前記給電部材よりも光反射性を有する光反射部が配されていることを特徴とする照明装置。
【請求項２】
前記給電部材は前記電源部に電気的に接続されており、
前記光源基板は短冊状をなし、該光源基板の長手方向の一端部は前記底壁の内面における前記周壁に隣接する周縁部に配されており、
前記コネクタは前記一端部に配されていることを特徴とする請求項１に記載の照明装置。
【請求項３】
皿状の収容体と、
夫々の一面に光源が実装されており、前記収容体の底壁の内面に並置された複数枚の光源基板と、
前記一面及び前記収容体の内面を覆い、光を反射する反射シートと、
電源部と
を備える照明装置において、
前記一面に設けられたコネクタと、
フレキシブルプリント基板を用いてなり、前記収容体の周壁及び前記反射シートの間に配されており、前記電源部から前記光源基板へ給電するための給電部材と、
該給電部材に設けられており、前記コネクタと電気的に接続される光源接続部と
を備え、
前記給電部材は、前記コネクタと前記光源接続部とが接続される接続部分及び該接続部分の周辺部分が前記反射シートに覆われておらず、
前記給電部材の前記反射シートに覆われていない部分に、前記給電部材よりも光反射性を有する光反射部が配されていることを特徴とする照明装置。
【請求項４】
前記給電部材は帯状をなし、前記電源部に電気的に接続されており、
前記光源基板は短冊状をなし、該光源基板の長手方向の一端部は前記底壁の内面における前記周壁に隣接する周縁部に配されており、
前記コネクタは前記一端部に配されていることを特徴とする請求項３に記載の照明装置。
【請求項５】
前記光反射部は、前記給電部材を補強していることを特徴とする請求項１から４の何れかひとつに記載の照明装置。
【請求項６】
請求項１から５の何れかひとつに記載の照明装置と、
該照明装置によって背面側から照明される表示パネルと
を備えることを特徴とする表示装置。
【請求項７】
請求項６に記載の表示装置と、
テレビジョン放送を受信する受信部と
を備え、
該受信部にて受信したテレビジョン放送に基づいて、前記表示装置に映像を表示するようにしてあることを特徴とするテレビジョン受信機。
【発明の詳細な説明】
【技術分野】
【０００１】
本発明は、光源基板が複数枚並置された照明装置、表示装置、及びテレビジョン受信機に関する。
【背景技術】
【０００２】
液晶表示装置は、液晶表示パネルと、複数個のＬＥＤ（発光ダイオード）を有する照明装置とを備える。照明装置は、液晶表示パネルを背面側から照明する。
エッジライト型の照明装置の場合、ＬＥＤは、液晶表示パネルに対面配置された導光板の端面に対向して複数個並置される。
直下型の照明装置の場合、ＬＥＤは、液晶表示パネルの背面に対向して複数個並置される（特許文献１参照）。
【０００３】
ローカルディミングを行なう場合、直下型の方がエッジライト型よりも有利である。以下では、直下型の照明装置について説明する。
ＬＥＤはＬＥＤ基板に実装されて、皿状のシャーシに収容される。ＬＥＤ基板はシャーシの底壁に固定される。ＬＥＤに給電するための電源回路は、シャーシの外側に配される。
【先行技術文献】
【特許文献】
【０００４】
【特許文献１】特開２０１３−１６４９４３号公報
【発明の概要】
【発明が解決しようとする課題】
【０００５】
ここで、ローカルディミングに対応した照明装置に、面積が広いＬＥＤ基板を１枚だけ配置する場合と、面積が狭いＬＥＤ基板を複数枚並置する場合とを比較する。
【０００６】
広いＬＥＤ基板を１枚だけ配置する場合、ＬＥＤ基板においてＬＥＤの実装又は配線等に使用されない無駄な部分が生じてしまう。
一方、狭いＬＥＤ基板を複数枚並置する場合、ＬＥＤの個数及び配置位置は広いＬＥＤ基板と同じであっても、ＬＥＤ基板におけるＬＥＤの実装又は配線等に使用されない無駄な部分を排除することができる。従って、ＬＥＤ基板のコストパフォーマンスの点では、面積が狭いものを複数枚並置する方が、面積が広いものを１枚だけ配置するよりも有利である。
【０００７】
とはいえ、広いＬＥＤ基板の場合、電源回路と１枚のＬＥＤ基板とを少数本の給電線で接続すればよいので、配線が容易である。
一方、狭いＬＥＤ基板の場合、電源回路と複数枚のＬＥＤ基板夫々とを多数本の給電線で接続しなければならないので、配線が困難である。
【０００８】
本発明は斯かる事情に鑑みてなされたものであり、その主たる目的は、容易に配線することができる照明装置、表示装置、及びテレビジョン受信機を提供することにある。
【課題を解決するための手段】
【０００９】
本発明に係る照明装置は、皿状の収容体と、夫々の一面に光源が実装されており、前記収容体の底壁の内面に並置された複数枚の光源基板と、前記一面及び前記収容体の内面を覆い、光を反射する反射シートと、電源部とを備える照明装置において、前記一面に設けられたコネクタと、フレキシブルプリント基板を用いてなり、前記収容体の周壁及び前記反射シートの間に配されており、前記電源部から前記光源基板へ給電するための給電部材と、該給電部材に設けられており、前記コネクタと電気的に接続される光源接続部とを備え、前記周壁は、前記底壁から前記収容体の開口側へ拡がるような傾斜状をなし、前記給電部材は、前記周壁の内面に配されている帯状の本体部と、該本体部から前記光源基板に向けて突出しており、前記光源接続部が設けられている腕状片とを有し、前記コネクタと前記光源接続部とが接続される接続部分及び該接続部分の周辺部分が前記反射シートに覆われておらず、前記給電部材の前記反射シートに覆われていない部分に、前記給電部材よりも光反射性を有する光反射部が配されていることを特徴とする。
【００１０】
本発明に係る照明装置は、前記給電部材は前記電源部に電気的に接続されており、前記光源基板は短冊状をなし、該光源基板の長手方向の一端部は前記底壁の内面における前記周壁に隣接する周縁部に配されており、前記コネクタは前記一端部に配されていることを特徴とする。
【００１１】
本発明に係る照明装置は、皿状の収容体と、夫々の一面に光源が実装されており、前記収容体の底壁の内面に並置された複数枚の光源基板と、前記一面及び前記収容体の内面を覆い、光を反射する反射シートと、電源部とを備える照明装置において、前記一面に設けられたコネクタと、フレキシブルプリント基板を用いてなり、前記収容体の周壁及び前記反射シートの間に配されており、前記電源部から前記光源基板へ給電するための給電部材と、該給電部材に設けられており、前記コネクタと電気的に接続される光源接続部とを備え、前記給電部材は、前記コネクタと前記光源接続部とが接続される接続部分及び該接続部分の周辺部分が前記反射シートに覆われておらず、前記給電部材の前記反射シートに覆われていない部分に、前記給電部材よりも光反射性を有する光反射部が配されていることを特徴とする。
本発明に係る照明装置は、前記給電部材は帯状をなし、前記電源部に電気的に接続されており、前記光源基板は短冊状をなし、該光源基板の長手方向の一端部は前記底壁の内面における前記周壁に隣接する周縁部に配されており、前記コネクタは前記一端部に配されていることを特徴とする。
【００１２】
本発明に係る照明装置は、前記光反射部は、前記給電部材を補強していることを特徴とする。
【００１４】
本発明に係る表示装置は、本発明に係る照明装置と、該照明装置によって背面側から照明される表示パネルとを備えることを特徴とする。
【００１５】
本発明に係るテレビジョン受信機は、本発明に係る表示装置と、テレビジョン放送を受信する受信部とを備え、該受信部にて受信したテレビジョン放送に基づいて、前記表示装置に映像を表示するようにしてあることを特徴とする。
【発明の効果】
【００１６】
本発明の照明装置、表示装置、及びテレビジョン受信機による場合、電源部と光源基板との間を、フレキシブルプリント基板を用いて容易に配線することができる。
【図面の簡単な説明】
【００１７】
【図１】本発明の実施の形態１に係る表示装置を備えるテレビジョン受信機の構成を略示する断面図である。
【図２】表示装置が備える照明装置の構成を略示する正面図である。
【図３】照明装置の構成を略示する部分拡大断面図である。
【図４】照明装置の接続部分近傍の構成を模式的に示す断面図である。
【図５】本発明の実施の形態２に係る表示装置が備える照明装置の接続部分近傍の構成を模式的に示す断面図である。
【発明を実施するための形態】
【００１８】
以下、本発明を、その実施の形態を示す図面に基づいて詳述する。以下の説明では、図において矢符で示す上下、前後、及び左右を使用する。
【００１９】
（実施の形態  １．）
図１は、本発明の実施の形態１に係る表示装置１３を備えるテレビジョン受信機１の構成を略示する断面図である。
図２及び図３は表示装置１３が備える照明装置２２の構成を略示する正面図及び部分拡大断面図である。
図４は、照明装置２２の接続部分近傍の構成を模式的に示す断面図である。
【００２０】
テレビジョン受信機１は、据え置き式又は壁掛け式等である。テレビジョン受信機１は、受信部１１、信号処理部１２、及び表示装置１３を備えている。
受信部１１は、図示しない受信回路が実装された回路基板である。受信回路は、図示しないアンテナを介して外部からテレビジョン放送を受信し、受信したテレビジョン放送に基づく放送信号を出力する。
信号処理部１２は、図示しない信号処理回路が実装された回路基板である。信号処理回路は、受信部１１が出力した放送信号に所定の信号処理を施すことによって、映像データを出力する。
【００２１】
表示装置１３は正面視矩形状である。表示装置１３は、表示パネル２１、照明装置２２、及びベゼル２３と、これらを収容する図示しないキャビネットとを備えている。このキャビネットには、受信部１１及び信号処理部１２も収容されている。なお、受信部１１及び信号処理部１２は、表示装置１３に外付けされていてもよい。
【００２２】
表示パネル２１は、矩形板状の液晶表示パネルを用いてなる。表示パネル２１は、矩形状の表示領域と、表示領域を囲繞する矩形枠状の額縁領域とを有する。表示領域（及び額縁領域）は表示パネル２１の中央部（及び周縁部）に位置する。表示パネル２１の表示領域には、信号処理部１２が出力した映像データに基づく映像が表示される。
【００２３】
照明装置２２は、光学シート群３１、拡散板３２、複数枚の光源基板３３，３３，…、複数個の光源３４，３４，…、収容体３５、反射シート３６、電源部３７、２個の配線部材３８，３８、スペーサ３９１，３９２、及び２個の給電部材４，４を備えている。図２は、光学シート群３１、拡散板３２、反射シート３６、及びスペーサ３９１，３９２の図示を省略している。
光学シート群３１は、夫々光透過性を有する複数枚の光学シートが積層されてなる。各光学シートは、光拡散機能、集光機能、又は偏光機能等を有する。光学シート群３１は、表示パネル２１の表示領域よりも面積が大きい矩形状になしてある。光学シート群３１は、表示パネル２１の表示領域の後面に適長離隔して対面配置されている。
【００２４】
拡散板３２は光拡散性を有する。拡散板３２の光透過率は５０％程度である。拡散板３２の後面に入射した光の一部は拡散板３２を透過し、拡散板３２の前面から拡散して出射する。拡散板３２の後面に入射した光の他の一部は背面側へ反射する。拡散板３２は、光学シート群３１よりも面積が大きい矩形状になしてある。拡散板３２は、光学シート群３１の後面に適長離隔して対面配置されている。
【００２５】
各光源基板３３は短冊状をなし、幅方向が上下方向、長さ方向が左右方向に沿い、前面３３ａが拡散板３２の後面に対面する向きに配されている。
光源基板３３，３３，…は、上下方向に複数枚、等間隔に並置されている。
図２は、26枚の光源基板３３，３３，…が、上下方向に13枚、等間隔に並置され、左右方向に２枚並置されている場合を示している。換言すれば、光源基板３３は、13枚ずつ２列に並置されている。
左右方向に隣り合う２枚の光源基板３３，３３は、長さ方向の端部同士（短辺部同士）が対向配置されている。上下方向に隣り合う２枚の光源基板３３，３３は、幅方向の端部同士（長辺部同士）が対向配置されている。
【００２６】
光源基板３３の前面３３ａにおいて、左右両辺部の内、左右方向に隣り合う光源基板３３から離隔している側（左右２枚の光源基板３３，３３の内、左側の光源基板３３の場合は左辺部。右側の光源基板３３の場合は右辺部）にはコネクタ３３１が設けられている。
【００２７】
光源基板３３の前面３３ａには、複数個の光源３４，３４，…が実装されている。図２には、１８個の光源３４，３４，…が等配されている場合が例示されている。
各光源３４は発光部及びレンズを有する。発光部はＬＥＤを用いてなり、光源基板３３の前面３３ａに実装されている。レンズは発光部を覆い、光源基板３３に取り付けられている。発光部が発した光はレンズの内部を透過し、レンズの表面から拡散して出射する。
左側の光源基板３３の場合、光源３４はコネクタ３３１よりも左側には存在しない。右側の光源基板３３の場合、光源３４はコネクタ３３１よりも右側には存在しない。光源３４の前面３３ａからの突出量は、コネクタ３３１の前面３３ａからの突出量より大きい。
【００２８】
収容体３５は皿状をなし、底壁３５１、周壁３５２、及びフランジ３５３を有する。収容体３５は光源基板３３，３３，…及び反射シート３６等を収容している。
底壁３５１は、拡散板３２よりも面積が小さい矩形状になしてある。
底壁３５１の内面には、光源基板３３，３３，…が、夫々の後面を底壁３５１に向けて並置してある。光源基板３３，３３，…は、底壁３５１の周縁部にも配されている。具体的には、最上位置（又は最下位置）に配された光源基板３３の上辺部（又は下辺部）が、底壁３５１の上辺部（又は下辺部）に接近配置されている。また、左側（又は右側）に配された各光源基板３３の左辺部（又は右辺部）が、底壁３５１の左辺部（又は右辺部）に接近配置されている。即ち、光源基板３３の長手方向の一端部は底壁３５１の内面における周壁３５２に隣接する周縁部に配されており、この一端部にコネクタ３３１が配されている。
底壁３５１の後面には、受信部１１及び信号処理部１２が取り付けられている。
【００２９】
周壁３５２は、底壁３５１から収容体３５の開口側へ拡がるような傾斜状をなす。
フランジ３５３は周壁３５２の先端部（前端部）に配されている。
【００３０】
反射シート３６は光反射性を有する。反射シート３６は、光源基板３３，３３，…夫々の前面３３ａと収容体３５の内面（具体的には底壁３５１及び周壁３５２夫々の内面）とを覆う。ただし、各光源基板３３のコネクタ３３１及び光源３４，３４，…は覆われない。このために、反射シート３６におけるコネクタ３３１，３３１，…及び光源３４，３４，…夫々に対応する部分には、開口が設けられている。
反射シート３６の底壁３５１を覆う部分と周壁３５２を覆う部分との境界部分は鈍角状に屈曲している。反射シート３６の屈曲位置は、底壁３５１と周壁３５２との境界部分に対応する。
【００３１】
電源部３７は、収容体３５の外側にて、底壁３５１の後面における上下左右方向中央部に取り付けられている。
【００３２】
ここで、給電部材４，４について説明する。
給電部材４，４夫々は、電源部３７から各光源基板３３へ給電するためのものである。一方の給電部材４は、左側１列の光源基板３３，３３，…に対する給電に用いられ、他方の給電部材４は、右側１列の光源基板３３，３３，…に対する給電に用いられる。左右の給電部材４，４は左右対称の構成である。
給電部材４は、フレキシブルプリント基板を用いてなる。
給電部材４は、ポリエチレンテレフタレート樹脂又はポリエチレンナフタレート樹脂を含んでなる。故に、給電部材４は、ポリイミド樹脂を含んでなる一般的なフレキシブルプリント基板に比べて安価である。
【００３３】
給電部材４は本体部４１と、各複数個の腕状片４２，４２，…、光源接続部４３，４３，…、及び光反射部４４，４４，…と、腕状片４５とを有する。以下では、左側の給電部材４を例示する。
本体部４１は、上下方向に長い帯状になしてあり、周壁３５２（更に詳細には左壁３５ａ）と反射シート３６の左壁３５ａを覆う部分との間に配されている。
腕状片４２，４２，…は、上下方向に等間隔に並置されている。腕状片４２，４２，…の個数は、左側１列の光源基板３３，３３，…の枚数と同一である。各腕状片４２は、本体部４１から右向きに突出している。
【００３４】
腕状片４２の基端部及び突設方向中央部は、左壁３５ａと反射シート３６との間に配されている。一方、腕状片４２の先端部は、左壁３５ａから底壁３５１の内面に向けて突出している。腕状片４２の基端部及び突設方向中央部は左壁３５ａに沿い、腕状片４２の先端部は底壁３５１に沿うので、腕状片４２の突設方向中央部と先端部との境界部分は、鈍角状に屈曲している。
腕状片４２の最先端部の後面には、光源接続部４３が設けられている。
【００３５】
光源接続部４３は、コネクタ３３１に電気的に接続されている。給電部材４はフレキシブルなので、光源接続部４３の配置位置を微調整することができる。このために、腕状片４２の配置位置が、本体部４１との境界部を中心に微調整される（例えば腕状片４２が本体部４１に対して斜めに配置される）。故に、寸法誤差又は配置時のトラブル等による本体部４１と光源基板３３，３３，…との相対的な位置ずれ、或いは温度変化に起因する膨張／収縮による位置ずれ等が生じたとしても、光源接続部４３とコネクタ３３１とを容易に接続することができ、また、無用に接続が解除されることが抑制される。
【００３６】
コネクタ３３１が反射シート３６に覆われていないので、腕状片４２の先端部（即ちコネクタ３３１と光源接続部４３とが接続される接続部分及び接続部分の周辺部分）は、反射シート３６に覆われていない。
各腕状片４２の先端部（即ち給電部材４の反射シート３６に覆われていない部分）の前面には、光反射部４４が設けられている。光反射部４４は腕状片４２の先端部に積層された薄片状をなし、腕状片４２の先端部を補強する。故に、光源接続部４３とコネクタ３３１との接続作業中（又は両者の接続を解除する作業中）に、腕状片４２の先端部が損傷することが抑制される。
【００３７】
光反射部４４は、腕状片４２の屈曲部分には配されていない。
腕状片４２の光反射部４４に覆われている部分は、光反射部４４に覆われていない部分に比べて、可撓性が損なわれる。
なお、光反射部４４は腕状片４２の先端部に形成された膜状でもよい。膜状の光反射部４４は薄片状の光反射部４４に比べて腕状片４２の可撓性を損ない難いので、薄片状の光反射部４４よりも広範囲に（例えば腕状片４２の屈曲部分にも）形成することができる。
とはいえ、膜状の光反射部４４は薄片状の光反射部４４に比べて腕状片４２の先端部を補強する効果に劣るので、腕状片４２の先端部を補強するための部材を別途備える必要があるかもしれない。即ち、薄片状の光反射部４４の場合には、補強部材を別途必要としないので、部品点数を削減することができる。
【００３８】
腕状片４５は、本体部４１の上下方向中央部において、２個の腕状片４２，４２の間から右向きに突設されている。腕状片４５の先端部の後面には、図示しない電源接続部が設けられている。
給電部材４には、電源接続部と各光源接続部４３とを個別に接続する図示しない給電経路が形成されている。
光源接続部４３，４３，…及び電源接続部は給電部材４の同一面に設けられている。故に、これらが給電部材４の異なる面に個別に設けられている場合に比べて、給電部材４の製造コストは低減される。
【００３９】
配線部材３８は、フレキシブルプリント基板又はフラットケーブル等を用いてなり、底壁３５１に設けられている図示しない貫通孔を貫通して収容体３５の内外に引き出されている。
給電部材４は、電源接続部と配線部材３８とを介して電源部３７に電気的に接続されている。この結果、各光源基板３３と電源部３７とは、給電部材４を介して個別に電気的に接続されている。
なお、給電部材４の電源接続部が、底壁３５１に設けられている図示しない貫通孔を貫通して収容体３５の外部へ突出していてもよい。この場合、配線部材３８を収容体３５の内部へ引き入れる必要はない。
【００４０】
スペーサ３９１，３９２夫々は枠状をなし、緩衝性を有する。スペーサ３９１，３９２夫々の配置位置は、表示パネル２１の額縁領域に対向する位置である。
【００４１】
ベゼル２３は、第１支持部２３１、第２支持部２３２、第３支持部２３３、及び連結部２３４を有する。
第１支持部２３１は矩形枠状をなす。
第２支持部２３２は、軸長方向が前後方向の矩形筒状をなし、第１支持部２３１の外周縁部から後方に突出している。
第３支持部２３３は矩形枠状をなし、第１支持部２３１の後方で第２支持部２３２の内側、且つフランジ３５３の前方に位置している。
連結部２３４は第３支持部２３３の外周縁部と第１支持部２３１の後面とを連結している。
【００４２】
第１支持部２３１と第３支持部２３３との間には、表示パネル２１の周縁部が図示しないスペーサを介して挟持されている。
第３支持部２３３の前部には、光学シート群３１の周縁部が取り付けられている。
第３支持部２３３とフランジ３５３との間には、拡散板３２の周縁部及び反射シート３６の周縁部が、スペーサ３９１，３９２を介して挟持されている。
【００４３】
以上のような照明装置２２の場合、電源部３７から配線部材３８，３８、給電部材４，４、及び光源基板３３，３３，…を介して各光源３４へ給電される。給電部材４，４及び光源基板３３，３３，…夫々（並びにフレキシブルプリント基板を用いてなる配線部材３８，３８）には、給電経路をパターン形成することができる。故に、電源部３７から配線部材３８、給電部材４，４に替わる複数本の給電線、及び光源基板３３，３３，…を介して各光源３４へ給電される場合に比べて、容易に配線することができる。
【００４４】
しかも、収容体３５の例えば左壁３５ａに配されている給電部材４と、左側１列の光源基板３３，３３，…夫々の左辺部に配されているコネクタ３３１，３３１，…とは接近配置されているので、各コネクタ３３１が光源基板３３の左辺部以外に配されている場合に比べて、腕状片４２，４２，…夫々の本体部４１からの突出量を最小限にすることができる。
各給電部材４の底壁３５１に配されている部分は最小限であるので、給電部材４と、底壁３５１に配されている他部材（例えば光源基板３３）とが干渉し合う虞はない。
【００４５】
光源３４，３４，…が発した光の一部は、直接的に拡散板３２へ入射して拡散板３２を透過する。また、光源３４，３４，…が発した光の他の一部は、拡散板３２と反射シート３６又は光反射部４４，４４，…との間で反射を繰り返してから拡散板３２へ入射して拡散板３２を透過する。拡散板３２を透過した光は光学シート群３１を透過する。この結果、照明装置２２は表示パネル２１を背面側から均一に照明する。
【００４６】
反射シート３６は各コネクタ３３１を覆っていない。故に、コネクタ３３１を覆うことによる反射シート３６の無用な浮きを防止することができる。反射シート３６が各コネクタ３３１を覆わないことによる光反射機能の低下は、光反射部４４，４４，…が補うので、特段の問題はない。
【００４７】
（実施の形態  ２．）
図５は、本発明の実施の形態２に係る表示装置１３が備える照明装置２２の接続部分近傍の構成を模式的に示す断面図である。
本実施の形態のテレビジョン受信機１、表示装置１３、及び照明装置２２は、実施の形態１と略同様の構成である。以下では、実施の形態１との差異について説明し、その他、実施の形態１に対応する部分には同一符号を付してそれらの説明を省略する。
【００４８】
左側（及び右側）１列の各光源基板３３において、最左端（及び最右端）の光源３４は、実施の形態１よりも右側（及び左側）に配されている。即ち、最左端（及び最右端）の光源３４とコネクタ３３１との離隔距離が、実施の形態１よりも長い。
【００４９】
反射シート３６は、光源基板３３，３３，…夫々の前面３３ａと収容体３５の内面（具体的には底壁３５１及び周壁３５２夫々の内面）と各光源基板３３のコネクタ３３１とを覆う。ただし、光源３４，３４，…は覆われない。このために、反射シート３６における光源３４，３４，…夫々に対応する部分には、開口が設けられている。一方、実施の形態１とは異なり、反射シート３６におけるコネクタ３３１，３３１，…夫々に対応する部分には、開口は設けられていない。
反射シート３６の底壁３５１の中央部を覆う部分と底壁３５１の周縁部（即ちコネクタ３３１，３３１，…が配されている部分）及び周壁３５２を覆う部分との境界部分は、鈍角状に屈曲している。反射シート３６の屈曲位置は、実施の形態１における屈曲位置よりも、底壁３５１の中央部側である。
【００５０】
給電部材４は光反射部４４，４４，…を有していない。何故ならば、コネクタ３３１が反射シート３６に覆われているので、腕状片４２，４２，…夫々の先端部に光反射性を与える必要がないからである。
なお、各腕状片４２の先端部に、腕状片４２の先端部を補強する補強部材が配されていてもよい。
【００５１】
以上のような照明装置２２は、実施の形態１の照明装置２２と同様の作用効果を奏する。
反射シート３６がコネクタ３３１，３３１，…を覆っている分、反射シート３６は底壁３５１と周壁３５２との境界部分から前方に浮く。しかしながら、各コネクタ３３１よりも周壁３５２側に光源３４，３４，…が存在しないので、反射シート３６の浮きが光源３４，３４，…からの光の出射を阻害することが抑制される。
また、光反射部４４，４４，…を備える必要がない分、部品点数を削減することができる。
【００５２】
最後に、本発明の実施の形態についてまとめる。
【００５３】
本発明に係る照明装置２２は、皿状の収容体３５と、夫々の前面３３ａに光源３４が実装されており、前記収容体３５の底壁３５１の内面に並置された複数枚の光源基板３３と、前記前面３３ａ及び前記収容体３５の内面を覆い、光を反射する反射シート３６と、電源部３７とを備える照明装置２２において、前記前面３３ａに設けられたコネクタ３３１と、フレキシブルプリント基板を用いてなり、前記収容体３５の周壁３５２及び前記反射シート３６の間に配されており、前記電源部３７から前記光源基板３３へ給電するための給電部材４と、該給電部材４に設けられており、前記コネクタ３３１と電気的に接続される光源接続部４３とを備えることを特徴とする。
【００５４】
本発明に係る照明装置２２は、前記給電部材４は帯状をなし、前記電源部３７に電気的に接続されており、前記光源基板３３は短冊状をなし、該光源基板３３の長手方向の一端部は前記底壁３５１の内面における前記周壁３５２に隣接する周縁部に配されており、前記コネクタ３３１は前記一端部に配されていることを特徴とする。
【００５５】
本発明に係る照明装置２２は、前記給電部材４は、前記コネクタ３３１と前記光源接続部４３とが接続される接続部分及び該接続部分の周辺部分が前記反射シート３６に覆われておらず、前記給電部材４の前記反射シート３６に覆われていない部分に、前記給電部材４よりも光反射性を有する光反射部４４が配されていることを特徴とする。
【００５６】
本発明に係る照明装置２２は、前記光反射部４４は、前記給電部材４を補強していることを特徴とする。
【００５７】
本発明に係る照明装置２２は、前記光源３４は、前記光源基板３３における前記コネクタ３３１よりも長手方向の他端部側に配されており、前記給電部材４は、前記コネクタ３３１と前記光源接続部４３とが接続される部分が前記反射シート３６に覆われていることを特徴とする。
【００５８】
本発明に係る表示装置１３は、本発明に係る照明装置２２と、該照明装置２２によって背面側から照明される表示パネル２１とを備えることを特徴とする。
【００５９】
本発明に係るテレビジョン受信機は、本発明に係る表示装置１３と、テレビジョン放送を受信する受信部１１とを備え、該受信部１１にて受信したテレビジョン放送に基づいて、前記表示装置１３に映像を表示するようにしてあることを特徴とする。
【００６０】
本発明にあっては、給電部材がフレキシブルプリント基板を用いてなる。故に、各光源基板に複数本の給電線を電気的に接続する場合に比べて、配線が簡易である。
給電部材は収容体の周壁と反射シートとの間に配されているので、収容体の底壁に配されている他部材（例えば光源基板）と給電部材とが干渉し合うことが抑制される。
【００６１】
本発明にあっては、給電部材から光源基板までの離隔距離を最小限にすることができる。故に、収容体の底壁に配されている他部材と給電部材とが干渉し合うことが更に抑制される。
【００６２】
本発明にあっては、光源基板のコネクタと給電部材の光源接続部とが接続される接続部分を反射シートで覆うことによる反射シートの浮きを防止することができる。
接続部分に反射シートが存在しないことによる光反射機能の低下は、光反射部によって補うことができる。
【００６３】
本発明にあっては、光反射部が光を反射する機能と給電部材を補強する機能とを有するので、給電部材を補強するための部材を別途備える必要がない。故に、部品点数を削減することができる。
【００６４】
本発明にあっては、光源基板のコネクタと給電部材の光源接続部とが接続される接続部分が反射シートで覆われているので、接続部分に反射シートが存在しないことによる光反射機能の低下は生じない。従って、光反射機能の低下を補うための部材を別途備える必要がない。故に、部品点数を削減することができる。
接続部分よりも収容体の周壁に近い側には光源が存在しないので、反射シートの浮きが光源からの光の出射を阻害することが抑制される。
【００６５】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
また、本発明の効果がある限りにおいて、テレビジョン受信機１、表示装置１３、又は照明装置２２に、実施の形態１，２に開示されていない構成要素が含まれていてもよい。
各実施の形態に開示されている構成要件（技術的特徴）はお互いに組み合わせ可能であり、組み合わせによって新しい技術的特徴を形成することができる。
【符号の説明】
【００６６】
１      テレビジョン受信機
１３    表示装置
２１    表示パネル
２２    照明装置
３３    光源基板
３３１  コネクタ
３５    収容体
３５２  周壁
３６    反射シート
３７    電源部
４      給電部材
４３    光源接続部
４４    光反射部
【図１】
0006661302.tif 000002
【図２】
0006661302.tif 000003
【図３】
0006661302.tif 000004
【図４】
0006661302.tif 000005
【図５】
0006661302.tif 000006